(57)【要約】【課題】設置スペースを取らずに効率的にカゴ室の振動を低減させることができるエレベータ及びエレベータの制振方法を提供する。【解決手段】エレベータは、カゴ室と、錘と、カゴ室及び錘を吊りあげるロープと、ロープを巻き上げる巻上機と、カゴ室が昇降する昇降路と、カゴ室の側面に設置され、カゴ室の振動周波数の振動を吸収する吸振部材と、この吸振部材を介してカゴ室に取り付けられる防振重りと、を備える。【選択図】図２
2014105051.tif 000002
【特許請求の範囲】
【請求項１】
カゴ室と、
錘と、
前記カゴ室及び前記錘を吊りあげるロープと、
前記ロープを巻き上げる巻上機と、
前記カゴ室が昇降する昇降路と、
前記カゴ室の側面に設置され、前記カゴ室の振動周波数の振動を吸収する吸振部材と、
前記吸振部材を介して前記カゴ室に取り付けられる防振重りと、
を備えるエレベータ。
【請求項２】
前記防振重りは、
前記防振重りの平面部と、前記防振重りが設置される前記カゴ室の側面と、が平行になるように設置される請求項１記載のエレベータ。
【請求項３】
前記防振重りは、
前記カゴ室のカゴ室側ドアが設けられる側面の横方向両側の対向する１対の側面に設けられる請求項２記載のエレベータ。
【請求項４】
前記吸振部材は、
前記防振重りの上下方向両端部に設けられる請求項３記載のエレベータ。
【請求項５】
前記吸振部材は、
前記カゴ室の振動周波数と前記吸振部材の吸収する振動の周波数とが一致する請求項４記載のエレベータ。
【請求項６】
前記カゴ室の側面に設置される板状の防振重りにカゴ室の振動を伝え、
前記防振重りの振動を、前記防振重りの上下方向両端に設置される吸振部材によって吸収させるエレベータの制振方法。
【発明の詳細な説明】
【技術分野】
【０００１】
本発明の実施形態は、エレベータ及びエレベータの制振方法に関する。
【背景技術】
【０００２】
エレベータのカゴ室は高速によって上下移動し、短い時間内に制動される。また、静止時にも乗客の乗り降りによってカゴ室は振動する。この振動は、乗客にとって心地よいものではない。従って、カゴ室の振動を低減させることが必要となる。
【０００３】
この点に関し、カゴ室に磁石によって形成される可動重りを設置し、磁力の反発力を弾性力として振動を吸収する技術が提案されている。
【０００４】
しかし、カゴ室の振動のうち乗客に不快感を生じさせる周波数帯は限られているのに対し、この周波数の振動を効率的に吸収するように磁力を調整することは困難である。さらに、上下方向に磁場を形成するためには上下方向にある程度の長さを有する磁石を用いる必要があるため、設置スペースが必要となる。
【先行技術文献】
【特許文献】
【０００５】
【特許文献１】特開平１０−２４５１７９号公報
【発明の概要】
【発明が解決しようとする課題】
【０００６】
従って、本実施形態は設置スペースを取らずに効率的にカゴ室の振動を低減させることができるエレベータ及びエレベータの制振方法を提供することを目的とする。
【課題を解決するための手段】
【０００７】
上記の課題を解決するために、一実施形態はカゴ室と、錘と、カゴ室及び錘を吊りあげるロープと、ロープを巻き上げる巻上機と、カゴ室が昇降する昇降路と、カゴ室の側面に設置され、カゴ室の振動周波数の振動を吸収する吸振部材と、吸振部材を介してカゴ室に取り付けられる防振重りと、を備えるエレベータを提供する。
【図面の簡単な説明】
【０００８】
【図１】エレベータの側面図である。
【図２】カゴ室の外観斜視図である。
【図３】吸振部材付近の、図２におけるＸ矢視図である。
【図４】カゴ室の一つの側面に複数の防振重りを有するカゴ室の例を示す図である。
【発明を実施するための形態】
【０００９】
以下、エレベータ及びエレベータの制振方法の一実施形態について、図面を用いて詳細に説明する。
【００１０】
本実施形態のエレベータの一実施形態はカゴ室と、錘と、カゴ室及び錘を吊りあげるロープと、ロープを巻き上げる巻上機と、カゴ室が昇降する昇降路と、カゴ室の側面に設置され、カゴ室の振動周波数の振動を吸収する吸振部材と、吸振部材を介してカゴ室に取り付けられる防振重りと、を備える。
【００１１】
図１は、本実施形態に係るエレベータ１００の側面図である。図１に示すように、エレベータ１００は、乗客を乗せるカゴ室１０１と、錘１０３と、カゴ室１０１及び錘１０３を吊りあげるロープ１０６と、ロープ１０６を巻き上げる巻上機１０２と、カゴ室１０１が昇降する昇降路１１０と、乗場側ドア１０４と、乗場側ドア１０４の下方に設置されるステップ部１０５と、カゴ室１０１をカゴ室の底部から支持する滑車であるシーブ１０８と、カゴ室１０１の振動を吸収する防振重り２０３と、カゴ室１０１の運行を制御する制御部１０７と、を備える。
【００１２】
カゴ室１０１は、カゴ室側ドア１０１Ａと、カゴ室側ドア１０１Ａの昇降路１１０側に設置される係合装置１０１Ｂと、を備える。
【００１３】
乗場側ドア１０４は、昇降路１１０側に係合装置１０１Ｂと係合する突起部１０４Ａを備える。
【００１４】
制御部１０７は、指示された行き先階までカゴ室１０１を昇降させる。行き先階にカゴ室１０１が到着すると、係合装置１０１Ｂと突起部１０４Ａとが係合している状態となる。この状態にてカゴ室側ドア１０１Ａが開閉すると乗場側ドア１０４が従動して開閉する。
【００１５】
図２は、カゴ室１０１の外観斜視図である。図２に示すように、カゴ室１０１は、シーブ１０８を有する横部材１０９の上部に弾性体によって形成される防振体１１１を介して載置される。
【００１６】
カゴ室１０１は、カゴ室側ドア１０１Ａが設けられる側面以外の側面に板状の防振重り２０３を備える。なお、カゴ室１０１は、カゴ室側ドア１０１Ａまたはカゴ室側ドア１０１Ａが設置されるカゴ室１０１の側面に防振重り２０３を備えていてもよい。
【００１７】
カゴ室１０１は、カゴ室側ドア１０１Ａが設けられる側面の横方向両側の対向する１対の側面に防振重り２０３を設けることが、カゴ室のバランスの点から望ましい。
【００１８】
防振重り２０３は平面部と防振重りが設置されるカゴ室１０１の側面とが平行になるように設置される。防振重り２０３は上下方向の両端部に折り曲げ部２０３Ｘを備える。防振重り２０３は少ない容積に対して重い質量を有している材質、例えば金属を用いて形成される。
【００１９】
カゴ室１０１は側面方向に張り出した取付部２０１を、１つの防振重り２０３について上下１対有する。
【００２０】
カゴ室１０１は取付部２０１と防振重り２０３の折り曲げ部２０３Ｘとの間に、振動を吸収する吸振部材２０２を有する。
【００２１】
カゴ室１０１に加わる振動は上下方向の振動が最も多い。従って、吸振部材２０２は上下方向の振動を吸収しやすい位置、例えば、防振重り２０３の上下両端に設置されることが望ましい。
【００２２】
カゴ室１０１は防振重り２０３をカゴ室１０１の複数の側面に有していてもよい。また、カゴ室１０１は吸振部材２０２を一つの防振重り２０３に対して上下端部に複数対有していてもよい。
【００２３】
吸振部材２０２は、少なくともカゴ室１０１の上下振動の周波数を吸収する弾性体によって形成される。すなわち、カゴ室１０１の振動周波数と吸振部材２０２の吸収する振動の周波数とは一致する。この弾性体は、バネでもゴムでもよい。
【００２４】
防振重り２０３はカゴ室１０１の質量よりも質量が小さい。従って、カゴ室１０１に振動が加わった場合、防振重り２０３にこの振動が伝わり、防振重り２０３はカゴ室１０１よりも先に振動する。吸振部材２０２はこの振動を吸収する。従って、カゴ室１０１が振動することを防ぐことが可能となる。
【００２５】
図３は、吸振部材２０２付近の、図２におけるＸ矢視図である。図３に示すように、吸振部材２０２は、カゴ室１０１に生じる振動の周波数を吸収する弾性体である吸振体２０２Ｘと、吸振体２０２Ｘの両端部に取り付けられる板状の取付部材２０２Ｚと、を備える。
【００２６】
吸振体２０２Ｘは取付部材２０２Ｚに、例えば接着剤によって取り付けられる。取付部材２０２Ｚは、例えばビスのような係止部材２０２Ｙによって取付部２０１に取り付けられる。
【００２７】
図４は、カゴ室１０１の一つの側面に複数の防振重り２０３を有するカゴ室１０１の例を示す図である。図４に示すように、カゴ室１０１は、カゴ室１０１の上下方向の振動を吸収する第１の防振重り２０３Ａ及び吸振部材２０２Ａと、カゴ室１０１の前後方向の振動を吸収する第２の防振重り２０３Ｂ及び吸振部材２０２Ｂと、カゴ室１０１の上下方向の振動を吸収する第３の防振重り２０３Ｃ及び吸振部材２０２Ｃと、を備えていてもよい。
【００２８】
以上述べたように、本実施形態のエレベータ１００は、カゴ室１０１と、錘１０３と、カゴ室１０１及び錘１０３を吊りあげるロープ１０６と、ロープ１０６を巻き上げる巻上機１０２と、カゴ室１０１が昇降する昇降路１１０と、カゴ室１０１の側面に設置され、カゴ室１０１の振動周波数の振動を吸収する吸振部材２０２と、この吸振部材２０２を介してカゴ室１０１に取り付けられる防振重り２０３と、を備える。
【００２９】
従って、本実施形態のエレベータ１００は、設置スペースを取らずに効率的にカゴ室１０１の振動を低減させることができるという効果がある。
【００３０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３１】
１０１：カゴ室
１０２：巻上機
１０４：乗場側ドア
１０７：制御部
２０１：取付部
２０２：吸振部材
２０３：防振重り
【図１】
2014105051.tif 000003
【図２】
2014105051.tif 000004
【図３】
2014105051.tif 000005
【図４】
2014105051.tif 000006
【手続補正書】
【提出日】平成26年1月30日(2014.1.30)
【手続補正１】
【補正対象書類名】特許請求の範囲
【補正対象項目名】請求項１
【補正方法】変更
【補正の内容】
【請求項１】
カゴ室と、
錘と、
前記カゴ室及び前記錘を吊りあげるロープと、
前記ロープを巻き上げる巻上機と、
前記カゴ室が昇降する昇降路と、
前記カゴ室の側面に設置され、前記カゴ室の上下方向の振動周波数の振動を吸収する第１の吸振部材と、
前記第１の吸振部材を介して前記カゴ室に取り付けられる第１の防振重りと、
前記カゴ室の側面に設置され、前記カゴ室の前後方向の振動周波数の振動を吸収する第２の吸振部材と、
前記第２の吸振部材を介して前記カゴ室に取り付けられる第２の防振重りと、
を備えるエレベータ。
【手続補正２】
【補正対象書類名】特許請求の範囲
【補正対象項目名】請求項６
【補正方法】変更
【補正の内容】
【請求項６】
前記カゴ室の側面に設置される板状の第１の防振重りにカゴ室の上下方向の振動を伝え、
前記第１の防振重りの振動を、前記防振重りの上下方向両端に設置される吸振部材によって吸収させ、
前記カゴ室の側面に設置される板状の第２の防振重りにカゴ室の前後方向の振動を伝え、
前記第２の防振重りの振動を、前記防振重りの上下方向両端に設置される吸振部材によって吸収させるエレベータの制振方法。
【手続補正３】
【補正対象書類名】明細書
【補正対象項目名】０００７
【補正方法】変更
【補正の内容】
【０００７】
上記の課題を解決するために、一実施形態はカゴ室と、錘と、カゴ室及び錘を吊りあげるロープと、ロープを巻き上げる巻上機と、カゴ室が昇降する昇降路と、カゴ室の側面に設置され、カゴ室の上下方向の振動周波数の振動を吸収する第１の吸振部材と、第１の吸振部材を介してカゴ室に取り付けられる第１の防振重りと、カゴ室の側面に設置され、カゴ室の前後方向の振動周波数の振動を吸収する第２の吸振部材と、第２の吸振部材を介してカゴ室に取り付けられる第２の防振重りと、を備えるエレベータを提供する。